(57)【要約】【課題】ガラス製の天板の下部に静電式のタッチセンサを取り付け、天板の上面に触れることによって火力調節などを行う従来のものでは、調理器具から吹きこぼれ等が生じて天板上に液状物が拡がり、その液状物が天板を覆っている状態で天板に触れても、タッチセンサが誤作動したり全くタッチしたことを検知できなくなる恐れがある。【解決手段】操作ボタンが下方から貫通する貫通孔を天板に形成し、操作ボタンを上方から防水フィルムで被覆して、貫通孔と操作ボタンとの隙間を通って液状物が天板の下方に流れ落ちないようにすると共に、操作ボタンを天板の上面より上方に突出させ、操作ボタンの上面に液状物が滴下した場合に、液状物が操作ボタンから天板側に流れ落ちて操作ボタンの上面に停留しないようにした。【選択図】  図３
2012172927.tif 000002
【特許請求の範囲】
【請求項１】
コンロ部を備えた天板上にコンロ部の火力調節を行う操作ボタンが設けられたコンロ装置において、操作ボタンが下方から貫通する貫通孔を天板に形成し、操作ボタンを上方から防水フィルムで被覆して、貫通孔と操作ボタンとの隙間を通って液状物が天板の下方に流れ落ちないようにすると共に、操作ボタンを天板の上面より上方に突出させ、操作ボタンの上面に液状物が滴下した場合に、液状物が操作ボタンから天板側に流れ落ちて操作ボタンの上面に停留しないようにしたことを特徴とするコンロ装置。
【発明の詳細な説明】
【技術分野】
【０００１】
本発明は、天板の上面に操作ボタンを有するコンロ装置に関する。
【背景技術】
【０００２】
例えばビルトイン式のコンロ装置では、木製のカウンタトップに矩形の窓穴を形成し、その窓穴に上方からコンロ装置を挿入してカウンタトップにコンロ装置を設置する。設置が完了した状態では、天板がカウンタトップの上面に位置し、コンロ装置の本体はカウンタトップの下方に位置する。コンロ装置の本体の前面に操作ボタンが設けられており、その操作ボタンを操作することにより、天板に設けられた加熱部のオンオフ状態の切り替え、および加熱部での加熱量、すなわち火力が増減される。
【０００３】
このように操作ボタンがカウンタトップの下方に位置するため、操作ボタンを押し操作して火力調節を行う際には、カウンタトップの下方をのぞき込む姿勢をしなければならない。そこで、このように操作ボタンをのぞき込まなくてもよいようにするため、天板の上面に操作ボタンを設けるものが知られている（例えば、特許文献１参照）。
【０００４】
このものでは、デザイン性を重視するため、天板をガラス板で形成し、そのガラス製の天板の下面に静電式のタッチセンサを設置している。そして、天板の上面の所定位置に触れるとタッチセンサが、その触れたことを検知して加熱部のオンオフ状態の切り替えや火力調節を行うように構成されている。
【先行技術文献】
【特許文献】
【０００５】
【特許文献１】特開２００７−１２７３６５号公報（段落００３２、図３）
【発明の概要】
【発明が解決しようとする課題】
【０００６】
上記従来のものでは、ガラス製の天板の下面にタッチセンサを設置しているので、天板の上面は全くフラットになっている。デザイン性の観点からは優れているが、加熱部に載置された鍋などの調理器具から吹きこぼれ等が生じ、液状物が天板上に流れ出ると、タッチセンサが設けられている範囲にその液状物が流れてくることが考えられる。上記従来のものでは、タッチセンサは静電式であるため、天板上に液状物が拡がってその液状物が天板上を覆っている状態で天板に触れても、乾燥状態で触れた状態での静電容量の変化と異なった変化をする恐れがあり、火力調節時に誤作動し、あるいは全く火力調節ができなくなることが考えられる。また、液状物が透明でなければ、天板を覆うことにより天板上に表した表示が見えなくなり、タッチすべき位置がわからなくなるという不具合も生じる。
【０００７】
そこで本発明は、上記の問題点に鑑み、天板上に液状物が流れ出ても確実に操作ボタンを操作することのできるコンロ装置を提供することを課題とする。
【課題を解決するための手段】
【０００８】
上記課題を解決するために本発明によるコンロ装置は、コンロ部を備えた天板上にコンロ部の火力調節を行う操作ボタンが設けられたコンロ装置において、操作ボタンが下方から貫通する貫通孔を天板に形成し、操作ボタンを上方から防水フィルムで被覆して、貫通孔と操作ボタンとの隙間を通って液状物が天板の下方に流れ落ちないようにすると共に、操作ボタンを天板の上面より上方に突出させ、操作ボタンの上面に液状物が滴下した場合に、液状物が操作ボタンから天板側に流れ落ちて操作ボタンの上面に停留しないようにしたことを特徴とする。
【発明の効果】
【０００９】
以上の説明から明らかなように、本発明は、操作ボタンを天板から上方に突出して設けたので、液状物が操作ボタンに滴下しても操作ボタン上に液状物が停留せず、常に操作ボタンが露出する。また、吹きこぼれ等により液状物が天板上に広範囲に流れ出て、操作ボタンが設けられている範囲まで液状物が拡がっても、操作ボタンが突出しているため、操作ボタンが液状物に水没することなく露出し続けることができる。そのため、液状物が不透明であっても操作ボタンの位置を認識することができ、かつ操作することができる。
【図面の簡単な説明】
【００１０】
【図１】本発明の一実施の形態の構成を示す図
【図２】操作ボタンの拡大図
【図３】III-III断面図
【発明を実施するための形態】
【００１１】
図１を参照して、１は本発明によるコンロ装置の一例である。本実施の形態では、コンロ装置１はＩＨ式のものであり、カウンタトップＣＴに形成された図示しない矩形の窓穴に対して上方からはめ込まれている。カウンタトップＣＴの上部には天板２が露出しており、コンロ装置１の本体１１はカウンタトップＣＴの下部に吊持されている。
【００１２】
天板２はガラス板で形成されており、天板２には３カ所に加熱部２１が設定されている。各加熱部２１の下方には加熱用の磁界を発生させる加熱コイル（図示せず）が配設されており、加熱部２１上に鍋などの調理器具を載置すると、調理器具の底板内部に誘導電流を発生させて底板自体を発熱させる。
【００１３】
各加熱部２１の各々に対応してオンオフ状態を切り替える操作ボタンや火力を増減させる操作ボタン群３が天板２の上面に設けられている。
【００１４】
図２および図３を参照して、上記ボタン群３にはオンオフ状態を切り替える操作ボタン３１と火力調節用の操作ボタン３２とが設けられている。このうちの操作ボタン３１を例に説明すると、天板２に貫通孔２ａを形成し、その貫通孔２ａを通ってボタン本体３１ａを天板２の上面より上方に突出するように設ける。このボタン本体３１ａの下部には脚部３１ｂが形成されており、操作ボタン３１を押し操作すると天板２の下方に配設した基板１２上のスイッチ１３が上方から押される。スイッチ１３が押されると加熱部２１に設けた加熱コンロへの通電が開始され、再度スイッチ１３が押されると通電が停止するように構成されている。
【００１５】
貫通孔２ａとボタン本体３１ａとの間には隙間が形成されるが、天板２の上面と共にボタン本体３１ａを防水性のフィルム２２で覆った。このフィルム２２は防水性の他、可撓性に優れており、操作ボタン３１を押し操作してボタン本体３１ａが上下移動しても適度に伸縮し変形してしわ等が生じない。
【００１６】
上記構成を採用しているので、例えば操作ボタン３１上に水滴Ｄが滴下しても、水滴Ｄは操作ボタン３１の上面に停留することなく、フィルム２２の上面を伝って流れ落ちて天板２の上面へと移動する。また、調理器具から多量の液状物が吹きこぼれ、天板２の上面に拡がっても、操作ボタン３１の大半の部分は喫水ＷＬよりも上方に位置することにあり、喫水ＷＬに水没することがない。
【００１７】
また、操作ボタン３１を例に説明したが、操作ボタン３２についても同様の構成を採用しているので、操作ボタン３２についても同様の効果が得られる。
【００１８】
なお、本発明は上記した形態に限定されるものではなく、本発明の要旨を逸脱しない範囲内において種々の変更を加えてもかまわない。
【符号の説明】
【００１９】
１  コンロ装置
２  天板
２２  フィルム
３１，３２  操作ボタン
【図１】
2012172927.tif 000003
【図２】
2012172927.tif 000004
【図３】
2012172927.tif 000005